(57)【要約】【課題】流し台で洗った食器や食材を流し台周りに一時的に置き、手軽に水切りができる流し台用水切り具を提供する。【解決手段】洗った後の食器、食材から滴り落ちる水滴を流し台のシンクに直接流し落として水切りを行なうための傾斜面を有する水切り具であって、該傾斜面には、レベルの低い方に水滴が流れることができるように、任意のガイド溝が形成されていることを特徴とする。【選択図】  図１
2006326244.tif 000002
【特許請求の範囲】
【請求項１】
洗った後の食器、食材から滴り落ちる水滴を流し台のシンクに直接流し落として水切りができるように形成された傾斜面を有する水切り具であって、当該傾斜面には、水滴が流れることができるように、任意のガイド溝が形成されていることを特徴とする流し台用水切り具。
【請求項２】
水滴が水切り具本体のガイド溝に合流することができるように形成されたガイド溝を有する水切り翼を、前記流し台用水切り具本体の左右両側に突設したことを特徴とする請求項１記載の流し台用水切り具。
【請求項３】
放射状に配置されたガイド溝によって、上方から落ちてきた水滴を一箇所に集めてシンクに落とすための集水口を下端中央部に形成したことを特徴とする請求項１記載の流し台用水切り具。
【請求項４】
円錐等の点状の頂部、あるいは頂円形状、頂角形状等の線状の頂部を形成した突起を、当該頂部が同レベルになるように傾斜面に複数併設することで、前記突起間にガイド溝を形成したことを特徴とする請求項１または請求項２記載の流し台用水切り具。
【発明の詳細な説明】
【技術分野】
【０００１】  本発明は、流し台で洗った食器や食材を流し台周りに一時的に置き、手軽に水切りができる流し台用水切り具に関するものである。
【背景技術】
【０００２】  従来、調理の際は、食材、調理器具、食器等、洗うものがたくさんあるため、それらを流し台の上に置くと流し台天板が水でびしょびしょになっていた。そのため、食器を収納する水受けトレーが備わった食器収納かご等を水切りとして代用していた。
また、長尺板状の棚体の一端部に流し台の天板やシンクの上部開口縁などに係止し、この棚体の他端部にスライド機構を介して複数の棚杆を有する棚枠体をこの棚体の長さ方向の延長方向に突出スライド可能に設け、この棚枠体の突出先端部に係止部を設けた流し台用水切り棚が知られている（特許文献１）。
【特許文献１】特開平１１−５６７４２
【発明の開示】
【発明が解決しようとする課題】
【０００３】  そのために次のような問題点があった。
（イ）洗い物から垂れ落ちた水滴が水受けトレーにたまり、放置しておくとぬめってしまい不衛生だった。
（ロ）調理中は、包丁等の調理器具や、食材を何度も洗い、直ぐに使える場所に置いておきたいため、食器収納かご等にいちいち収納するのはとても面倒で、一時的に置く場所としては適さなかった。
（ハ）シンクの上部開口縁に係止して使用する水切り棚は、取付位置が限定され、しかも、流し台に固定するため取り外しが面倒で、使い勝手が悪かった。
本発明は、以上の問題点を解決するためのものである。
【課題を解決するための手段】
【０００４】    洗った後の食器、食材から滴り落ちる水滴を流し台のシンクに直接流し落として水切りを行なうことができるように形成された傾斜面を有する水切り具であって、当該傾斜面には、水滴が流れることができるように、任意のガイド溝が形成されている。以上を特徴とする流し台用水切り具である。
【発明の効果】
【０００５】  請求項１の流し台用水切り具においては、食器や食材からしたたる水滴を直接流し台のシンクに流せるため、流し台の上に水分が溜まってぬめることなく衛生的である。
請求項２の流し台用水切り具においては、左右の水切り翼によって、水を垂れ落とす縁側の幅を広げずに、食器や食材を置く面積を広げることが出来る。
請求項３の流し台用水切り具においては、集水口を設けることで、シンクのコーナー部に置くことができるので、シンク周りの好きな場所で使用できる。
請求項４の流し台用水切り具においては、突起の形状を円錐等の頂部が頂点になるように形成したり、あるいは頂円形状、頂角形状等のように頂部を、直線状あるいは曲線状に形成したりすることで、食器や食材との接地面が点や線の、最小面積になるため、水はけがよくなり短時間で水切りができる。
また、水きり具を硬弾性部材にすれば、傾斜があっても水分で滑りやすくなっている食器等を滑りにくくでき、安全である。
【発明を実施するための最良の形態】
【０００６】  以下、本発明の実施の形態について図１、図２を参照しながら説明する。
（イ）硬弾性素材からなる長方形状の水切り（１）板本体の短辺方向に、断面形状が半円柱形状の細長い突起（３）を複数併設するように形成し、突起（３）間の接続部位に水滴が流れ落ちるためのガイド溝（４）を形成する。なお、突起（３）の形状は、上に乗せる食器や食材との接地面が、点あるいは線で支えることができるように、頂円形状、頂角形状等の線状あるいは曲線状の頂部が同レベルで形成されているか、円錐等の点状の頂部が同レベルで形成されておればよく、半円柱形状に限定されるものではない。
（ロ）水切り板本体（１）の一長辺側が高くなるように水切り板本体（１）下面の一長辺側に平板状の脚部（２）を設ける。水切り板本体（１）の傾斜角は、水滴が流れることができる程度の緩やかな角度を有しておればよい。なお、脚部（２）は、水切り板本体（１）が傾斜角を有するものであれば、柱状のような形状でもよく、平板状に限定されるものではない。
本発明は、以上の構成よりなっている。これを使用するときは、水切り板本体（１）のレベルの低い短辺側を流し台のシンクに向けながらシンク周りの好きな位置に置く。水洗いした食器や調理器具、食材等を一時的に仮置きすることで簡単に水切りが出来る。
【実施例１】
【０００７】  以下、本発明の実施例１について図３、図４を参照しながら説明する。水切り板本体（１Ａ）は、上記本発明の実施の形態の水切り板本体（１）と同形状のため、ここでは構造の説明は省略する。
（イ）水切り板本体（１Ａ）の両短辺側に、上面に水切り板本体（１Ｂ）と同じように断面形状が半円柱形状の突起（５ａ）を複数併設するように形成し、突起（５ａ）間の接続部位に水滴が流れ落ちるためのガイド溝（５ｂ）を形成した三角形状の水切り板（５）（５）を左右対称に設ける。
本発明の実施例１は、以上の構成よりなっている。この使用方法は、水切り板本体（１）と同じであるが、図４に示すように、三角形状の左右の水切り翼（５）（５）によって、水を垂れ落とすための幅を広げずに、食器や食材を置く面積を広げることが出来る。
【実施例２】
【０００８】  以下、本発明の実施例２について図５、図６を参照しながら説明する。
（イ）略扇状に形成された水切り板本体（１Ｂ）の上面に、略半円錐状の突起（３ｂ）を複数併設するように形成し、突起（３ｂ）間の接続部位に放射状に配置されたガイド溝（４ｂ）を形成する。
（ロ）略半円錐状の突起（３ｂ）の底面側が高くなるように、水切り板本体（１Ｂ）下面の底面側に平板状の脚部（２ｂ）を設ける。水切り板本体（１Ｂ）の傾斜角は、水滴が流れることができる程度の緩やかな角度を有しておればよい。
（ハ）ガイド溝（４ｂ）をつたって流れ落ちる水滴を一箇所に集中させて、シンクに落とすことが出来るように、水切り板（１ｂ）の両端には周縁（７）（７）を形成し、下方中央部には集水口（６）を形成する。
本発明の実施例２は、以上の構成よりなっている。この使用方法は、水切り板本体（１）と同じであるが、水滴を集水口（６）に集めてシンク（８）に流すことができるので、図６に示すように、シンク（８）のコーナー部分にも対応できる。
【図面の簡単な説明】
【０００７】
【図１】本発明の斜視図
【図２】本発明の側面図
【図３】本発明の実施例１の斜視図
【図４】本発明の実施例１使用状態を示す図
【図５】本発明の実施例２の斜視図
【図６】本発明の実施例２の使用状態を示す図
【符号の説明】
【０００８】１、１Ａ、１Ｂ  水切り板本体
２、２ａ、２ｂ  脚部
３、３ａ  突起
４、４ａ、４ｂ  ガイド溝
５    水切り翼
５ａ  突起
５ｂ  ガイド溝
６    集水口
７    周縁
８    シンク
【図１】
2006326244.tif 000003
【図２】
2006326244.tif 000004
【図３】
2006326244.tif 000005
【図４】
2006326244.tif 000006
【図５】
2006326244.tif 000007
【図６】
2006326244.tif 000008